【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
第１アプリケーションからの印刷指示に応じて、第１プリンタドライバが処理可能な第１描画データを生成する第１描画部と、第２アプリケーションからの印刷指示に応じて、第２プリンタドライバが処理可能な第２描画データを生成する第２描画部とが動作する情報処理装置であって、
前記第１アプリケーションからの印刷指示に応じて、前記第１描画データを前記第２描画データへデータ変換して、前記第２プリンタドライバへ出力する場合に、該第２描画データの描画状態を判定する判定手段と、
前記判定手段で判定した第２描画データの描画状態に従って、警告情報を出力する出力手段と
を備えることを特徴とする情報処理装置。
【請求項２】
前記データ変換が行われた際の警告方法を設定する設定手段を更に備え、
前記出力手段は、前記設定手段によって設定された警告方法と前記判定手段によって判定された第２描画データの描画状態とに従って警告情報を出力する
ことを特徴とする請求項１に記載の情報処理装置。
【請求項３】
前記出力手段は、前記警告情報として、前記第２描画データに基づく印刷データのプレビュー画面を出力し、
前記出力手段は、前記プレビュー画像を表示する場合、前記判定手段で描画状態が不自然と判定された前記描画データ中の領域については、他の領域と識別可能に表示する
ことを特徴とする請求項１または２に記載の情報処理装置。
【請求項４】
前記プレビュー画面は、前記印刷データの印刷処理の実行を指示する第１指示部と、前記印刷処理の中止を指示する第２指示部とを備える
ことを特徴とする請求項２または３に記載の情報処理装置。
【請求項５】
前記設定手段は、前記警告方法として、前記第２描画データに基づく印刷データのプレビュー画面の出力の可否を設定する
ことを特徴とする請求項１乃至４のいずれか１項に記載の情報処理装置。
【請求項６】
前記設定手段は、前記警告方法として、指定されたスタンプ画像を前記第２描画データに基づく印刷データへの付加の可否、または、指定された地紋画像を前記第２描画データに基づく印刷データへの付加の可否を設定する
ことを特徴とする請求項１乃至５のいずれか１項に記載の情報処理装置。
【請求項７】
前記設定手段は、前記警告方法として、警告メッセージの出力の可否、または、印刷の禁止の可否を設定する
ことを特徴とする請求項１乃至６のいずれか１項に記載の情報処理装置。
【請求項８】
前記設定手段は、前記警告方法として、指定された印刷データの、前記第２描画データに基づく印刷データの先頭への追加の可否を設定する
ことを特徴とする請求項１乃至７のいずれか１項に記載の情報処理装置。
【請求項９】
前記設定手段は、前記警告方法として、前記データ変換が行われた旨の、出力先のプリンタへの通知の可否、または、前記データ変換が行われた旨の、前記第１アプリケーションへの通知の可否を設定する
ことを特徴とする請求項１乃至８のいずれか１項に記載の情報処理装置。
【請求項１０】
前記設定手段は、前記警告方法として、複数部数が指定された印刷ジョブで、１部目の印刷に対してのみ指定された警告方法を適用し、それ以降の部の印刷ジョブについては、出力先のプリンタで保持することの可否を設定する
ことを特徴とする請求項１乃至９のいずれか１項に記載の情報処理装置。
【請求項１１】
前記判定手段は、前記第２描画データに特定の色と任意の色の２色に基づいて表現されているビットマップデータが含まれていると判定した場合、または、前記第２描画データに含まれるビットマップデータに特定のオブジェクトが含まれていると判定した場合、前記第２描画データの描画状態が不正であると判定し、
前記出力手段は、前記不正と判定された第２描画データを前記設定手段によって設定された警告方法に従って表示する
ことを特徴とする請求項１乃至１０のいずれか１項に記載の情報処理装置。
【請求項１２】
前記出力手段は、前記第１アプリケーションからの印刷指示に応じて、前記第１描画データを前記第２描画データへデータ変換して、前記第２プリンタドライバへ出力する場合に、第１警告を出力する第１警告手段と、
前記判定手段により前記第２描画データの描画状態が不正であると判定された場合、前記設定手段により設定された警告方法に従って第２警告を出力する第２警告手段と
を備えることを特徴とする請求項１１に記載の情報処理装置。
【請求項１３】
第１アプリケーションからの印刷指示に応じて、第１プリンタドライバが処理可能な第１描画データを生成する第１描画部と、第２アプリケーションからの印刷指示に応じて、第２プリンタドライバが処理可能な第２描画データを生成する第２描画部とが動作する情報処理装置の制御方法であって、
前記第１アプリケーションからの印刷指示に応じて、前記第１描画データを前記第２描画データへデータ変換して、前記第２プリンタドライバへ出力する場合に、該第２描画データの描画状態を判定する判定工程と、
前記判定工程で判定した第２描画データの描画状態に従って、警告情報を出力する出力工程と
を備えることを特徴とする情報処理装置の制御方法。
【請求項１４】
第１アプリケーションからの印刷指示に応じて、第１プリンタドライバが処理可能な第１描画データを生成する第１描画部と、第２アプリケーションからの印刷指示に応じて、第２プリンタドライバが処理可能な第２描画データを生成する第２描画部とが動作する情報処理装置の制御をコンピュータに実行させるためのプログラムであって、
前記第１アプリケーションからの印刷指示に応じて、前記第１描画データを前記第２描画データへデータ変換して、前記第２プリンタドライバへ出力する場合に、該第２描画データの描画状態を判定する判定工程と、
前記判定工程で判定した第２描画データの描画状態に従って、警告情報を出力する出力工程と
をコンピュータに実行させることを特徴とするプログラム。
【請求項１５】
前記データ変換が行われた際の警告方法を設定する設定工程を更に備え、
前記出力工程は、前記設定工程によって設定された警告方法と前記判定工程によって判定された第２描画データの描画状態とに従って警告情報を出力する
ことを特徴とする請求項１４に記載のプログラム。
【請求項１６】
前記出力工程は、前記警告情報として、前記第２描画データに基づく印刷データのプレビュー画面を出力し、
前記出力工程は、前記プレビュー画像を表示する場合、前記判定工程で描画状態が不自然と判定された前記描画データ中の領域については、他の領域と識別可能に表示する
ことを特徴とする請求項１４または１５に記載のプログラム。
【請求項１７】
前記プレビュー画面は、前記印刷データの印刷処理の実行を指示する第１指示部と、前記印刷処理の中止を指示する第２指示部とを備える
ことを特徴とする請求項１５または１６に記載のプログラム。
【請求項１８】
前記設定工程は、前記警告方法として、前記第２描画データに基づく印刷データのプレビュー画面の出力の可否を設定する
ことを特徴とする請求項１４乃至１７のいずれか１項に記載のプログラム。
【請求項１９】
前記設定工程は、前記警告方法として、指定されたスタンプ画像を前記第２描画データに基づく印刷データへの付加の可否、または、指定された地紋画像を前記第２描画データに基づく印刷データへの付加の可否を設定する
ことを特徴とする請求項１４乃至１８のいずれか１項に記載のプログラム。
【請求項２０】
前記設定工程は、前記警告方法として、警告メッセージの出力の可否、または、印刷の禁止の可否を設定する
ことを特徴とする請求項１４乃至１９のいずれか１項に記載のプログラム。
【請求項２１】
前記設定工程は、前記警告方法として、指定された印刷データの前記第２描画データに基づく印刷データの先頭への追加の可否を設定する
ことを特徴とする請求項１４乃至２０のいずれか１項に記載のプログラム。
【請求項２２】
前記設定工程は、前記警告方法として、前記データ変換が行われた旨の出力先のプリンタへの通知の可否、または、前記データ変換が行われた旨の前記第１アプリケーションへの通知の可否を設定する
ことを特徴とする請求項１４乃至２１のいずれか１項に記載のプログラム。
【請求項２３】
前記設定工程は、前記警告方法として、複数部数が指定された印刷ジョブで、１部目の印刷に対してのみ指定された警告方法を適用し、それ以降の部の印刷ジョブについては、出力先のプリンタで保持することの可否を設定する
ことを特徴とする請求項１４乃至２２のいずれか１項に記載のプログラム。
【請求項２４】
前記判定工程は、前記第２描画データに特定の色と任意の色の２色に基づいて表現されているビットマップデータが含まれていると判定した場合、または、前記第２描画データに含まれるビットマップデータに特定のオブジェクトが含まれていると判定した場合、前記第２描画データの描画状態が不正であると判定し、
前記出力工程は、前記不正と判定された第２描画データを前記設定工程によって設定された警告方法に従って表示する
ことを特徴とする請求項１４乃至２３のいずれか１項に記載のプログラム。
【請求項２５】
前記出力工程は、前記第１アプリケーションからの印刷指示に応じて、前記第１描画データを前記第２描画データへデータ変換して、前記第２プリンタドライバへ出力する場合に、第１警告を出力する第１警告工程と、
前記判定工程により前記第２描画データの描画状態が不正であると判定された場合、前記設定工程により設定された警告方法に従って第２警告を出力する第２警告工程と
を備えることを特徴とする請求項２４に記載のプログラム。